(57)【要約】【課題】  専門的な知識を必要とせずに各種タイプのヒールを容易にかつ衛生的に取り替えが可能な履物を提供することを目的とする。【解決手段】  履物本体に対してヒールが取り替え可能な履物において、履物本体は、ヒールを着脱可能にする断面略凸形状のヒール着脱部を有し、ヒールが、ヒール着脱部を嵌合する断面略凹形状の嵌合溝と嵌合溝にヒール着脱部を装着した時にヒールとヒール着脱部とをロックするロック手段とを有し、前記ヒール着脱部は、前記ロック手段を係合させる係合穴を有し、前記ロック手段は、前記係合穴に係合する係合部を有する。【選択図】  図１
2017189442.tif 000002
【特許請求の範囲】
【請求項１】
履物本体に対してヒールが取り替え可能な履物において、
前記履物本体は、前記ヒールを着脱可能にする断面略凸形状のヒール着脱部を有し、
前記ヒールは、前記ヒール着脱部を嵌合する断面略凹形状の嵌合溝と該嵌合溝に前記ヒール着脱部を装着した時に前記ヒールと前記ヒール着脱部とをロックするロック手段とを有する、
ことを特徴とする履物。
【請求項２】
前記ヒール着脱部は、前記ロック手段を係合させる係合穴を有し、前記ロック手段は、前記係合穴に係合する係合部を有することを特徴とする請求項１に記載の履物。
【請求項３】
前記ロック手段は、前記係合部を操作する操作部と前記係合部を上下方向に付勢する弾性部材とから構成されることを特徴とする請求項１又は２に記載の履物。
【請求項４】
前記ヒール着脱部は、前記履物本体の前方に向かって幅が広がる形状であり、前記嵌合溝は前記履物の後方に向かって幅が広がる形状であることを特徴とする請求項１又は２に記載の履物。
【発明の詳細な説明】
【技術分野】
【０００１】
本発明は、ヒールを容易に交換することが可能な履物に関し、特に、一般人であっても専門的な知識を必要とせずに高さや種類の異なるヒールを容易かつ衛生的に取り替えが可能な履物に関する。
【背景技術】
【０００２】
従来、婦人用の履物として、ヒール靴、特にハイヒール靴は、スタイルをより良く見せる効果があることから、ファッション性を重要視する多くの女性に愛用されている。
【０００３】
ところで、ハイヒール靴は、踵が高く持ち上げられた状態で足が保持されるため不安定な状態で足先に負担がかかる。従って、長時間立ち歩きをするような場合には疲れやすく、また、凹凸のある場所では、バランスを崩して転倒するおそれがある。
【０００４】
また、ローヒール靴は、ハイヒール靴と比較して、踵があまり高く持ち上げられず、低く保持されるので、安定性に優れており、長時間立ち歩きをしても疲れにくく、また凹凸のある場所でも安心して歩行することが可能である。
【０００５】
このようにして、ハイヒール靴はファッション性に優れ、またローヒール靴は機能性に優れているという特徴がある。
【０００６】
ここで、ハイヒール靴とローヒール靴を同時に使用することはできず、行く先等に応じて、ハイヒール靴またはローヒール靴のいずれかの靴を選択する必要がある。
【０００７】
そこで、特許文献１には、簡単な操作によってハイヒールもしくはローヒールに切り換えて使用することができる履物が開示されている。
【０００８】
この履物は、足裏を支持する本体と、本体の後端下方に一体的に構成された固定ヒールと、ハイヒール接地部とローヒール接地部とを有する可動ヒールと、可動ヒールを固定ヒールに対し前後褶動可能かつ前後揺動可能に接続する接続部と、可動ヒールがハイヒール接地部を下に向けた状態及びローヒール接地部を下に向けた状態で後方位置に位置する場合に固定ヒールに対する可動ヒールの揺動を係止すると共に、可動ヒールが前方位置に位置する場合に当該係止を解除する係止手段と、を有しており、このヒールを折りたたむことでハイヒールからローヒールに切り換えることができる。
【０００９】
しかし、この履物は、ハイヒールとローヒールは、可動ヒールを折りたたむことにより切り換えるものであり、そのため、他の高さやデザインのヒールに交換することは困難である
【００１０】
このため、例えば、特許文献２に示すような履物も提案されている。この履物によれば、履物本体の後部の後方に穴が設けられており、この穴にねじが入りハイヒールに留められる。ねじは、シャンク後部に位置する穴を通り、靴底部を貫通して、ハイヒールの上面に位置するねじ穴に螺合する。このねじによりハイヒールとローヒールヒールの取り替えが可能となっている。
【先行技術文献】
【特許文献】
【００１１】
【特許文献１】特開２０１３−０００３０９号公報
【特許文献２】特開２０１１−１６０９７５号公報
【発明の概要】
【発明が解決しようとする課題】
【００１２】
しかしながら、特許文献２の履物によれば、ハイヒールとローヒールとを取り替える場合には、履物本体の靴底の皮を剥がして取替作業をしなければならず、一般人では容易に取替作業ができず、また、取替作業を行うに際しても専門的な知識が必要となったり、また、靴底に手を入れて作業したりするため一般人が取替作業を行うには衛生的ではないという問題があった。
【００１３】
本発明は、かかる問題に鑑みてなされたものであり、一般人でも専門的な知識を必要とせずに各種タイプのヒールに容易にかつ衛生的に切り替えが可能な履物を提供することを目的とする。
【課題を解決するための手段】
【００１４】
上記目的達成するために、本発明の履物は、履物本体に対してヒールが取り替え可能な履物において、前記履物本体は、前記ヒールを着脱可能にする断面略凸形状のヒール着脱部を有し、前記ヒールは、前記ヒール着脱部を嵌合する断面略凹形状の嵌合溝と該嵌合溝に前記ヒール着脱部を装着した時に前記ヒールと前記ヒール着脱部とをロックするロック手段とを有する、ことを特徴とする履物。
【００１５】
以上の構成において、前記ヒール着脱部は、前記ロック手段を係合させる係合穴を有し、前記ロック手段は、前記係合穴に係合する係合部を有することを特徴とする。
【００１６】
また、前記ロック手段は、前記係合部を操作する操作部と前記係合部を上下方向に付勢する弾性部材とから構成されることを特徴とする。
【００１７】
また、前記ヒール着脱部は、前記履物本体の前方に向かって幅が広がる形状であり、前記嵌合溝は前記履物の後方に向かって幅が広がる形状であることを特徴とする請求項１又は２に記載の履物。
【発明の効果】
【００１８】
本発明によれば、履物本体に対してヒールが取り替え可能な履物において、履物本体は、ヒールを着脱可能にする断面略凸形状のヒール着脱部を有し、ヒールが、ヒール着脱部を嵌合する断面略凹形状の嵌合溝と嵌合溝にヒール着脱部を装着した時にヒールとヒール着脱部とをロックするロック手段とを有する構成としたので、本体の後部に設けられるヒール着脱部に容易にヒールを確実に装着することができ、また、容易に取り外すことができる履物であり、各種タイプのヒールを用意することでシチュエーションに合わせたヒールに切り換えをすることが可能となる。
【図面の簡単な説明】
【００１９】
【図１】図１は、本実施形態に係る履物の構成を示した側面図である。
【図２】図２（ａ）は、ヒールが分離した履物の構成を示した斜視図であり、図２（ｂ）は、ヒールが分離した履物の裏面を示した図である。
【図３】図３は、ヒールの構成を示した斜視図である。
【図４】図４は、ロック手段の構成を示した断面図である。
【図５】図５は、ヒールをヒール着脱部に装着する状態を示した図である。
【図６】図６は、ヒールの変形例を示した図である。
【発明を実施するための最良の形態】
【００２０】
次に、図面を参照して、本発明の履物の実施形態について説明する。
図１は、本実施形態に係る履物の全体構成を示した側面図であり、図２（ａ）は、ヒールが本体から分離した状態を示す斜視図であり、図２（ｂ）は、ヒールが分離した履物の本体の裏面を示す図であり、図３は、ヒールの構成を示す斜視図である。
【００２１】
＜全体構成＞
図１に示すように、履物１０は、本体２０と本体２０に着脱可能に装着されるヒール３０とから構成されている。
【００２２】
＜本体２０の構成＞
本体２０は、本体前部２１と本体後部２２とから構成されている。本体前部２１は、ゴム等の軟性な素材から構成されており、本体後部２２は、木や合成樹脂などの硬質な素材から構成されている。
【００２３】
本体後部２２には、ヒール３０を着脱するためのヒール着脱部２３が設けられている。ヒール着脱部２３は、図２（ａ）に示すように、断面略凸形状であり、ヒール着脱部２３の長さ方向に延伸する突条形状の嵌込部２５が一体形成されている。
【００２４】
この嵌込部２５は、図２（ｂ）に示すように、ヒール着脱部２３の前方（トウ側）に向かって幅が広がるように形成されている。また、嵌込部２５は、耐久性に優れた合成樹脂材を用いて本体後部２２と一体的に造られている。
【００２５】
さらに、嵌込部２５には、後述するヒール３０に設けられているロック手段３４と係合する係合穴２６が設けられている。
【００２６】
＜ヒール３０の構成＞
ヒール３０は、ヒールの高さが異なるものや、ピンヒールタイプ、コーンヒールタイプ、スクウェアヒールタイプなどのデザインの異なったヒールであり、前述のヒール着脱部２５に着脱可能な機構を有している。
【００２７】
ヒール３０は、図３に示すように、上面にヒール着脱部２５に一体形成されている嵌込部２６と嵌合する断面略凹形状の嵌込溝３１が形成されている。
【００２８】
この嵌込溝３１は、ヒール着脱部２３の嵌込部２５に嵌合するために、ヒール３０の後部（かかと側）に向かって幅が広くなる構成となっている。
【００２９】
ヒール３０は、ヒール着脱部２３の後方から嵌込溝３１に嵌込部２５を差し込むようにして装着させる。
【００３０】
また、嵌込溝３１の底部には、ヒール３０をヒール着脱部２３に装着したときに、ヒール３０がヒール着脱部２３の後方に摺動することを防止するためのロック手段３３が設けられている。
【００３１】
嵌込溝３１の底面には、ロック手段３３の一部が突出する穴３２が形成されており、ヒール３０の前面（トウ側）には、ロック手段３３の一部を露出させるための開口部３７が形成されている。
【００３２】
＜ロック手段３３の構成＞
図４は、ロック手段３３の構成を示す断面図である。
図に示すように、ロック手段３３は、上下方向に移動可能なロック部材３５と、ロック部材３５を上方向に向かって付勢する圧縮バネ３６とから構成されている。
【００３３】
ロック部材３５は、金属製または硬質の合成樹脂材で構成されており、ヒール着脱部２３の係合穴２６に係合する係合部３４と、ロック部材３５を上下方向に操作するための操作部３８とを有する。
【００３４】
操作部３８は、ヒール３０の前面（トウ側）に形成されている開口部３７から露出しており、履物１０の使用者が指で操作部３８を上下方向に操作することでロック部材３５を上下方向に操作することができる。
【００３５】
このロック手段３３は、ロック部材３５が圧縮バネ３６で付勢されているときは、係合部３４が嵌込溝３１の底面に設けられている穴３２から突出しており、使用者が指で操作部３８を下方向に下げるとロック部材３５が圧縮バネ３６の張力に抗しながら下がり、係合部３４が穴３２から引っ込む状態となる。
【００３６】
そして、操作部３８から指を離すと圧縮バネ３６の付勢力により、再び、係合部３４が穴３２から突出する。
【００３７】
＜ヒール３０の装着方法＞
図５は、ヒール３０をヒール着脱部２３に装着する状態を示す図である。
図に示すように、ヒール３０をヒール着脱部２３後方から、ヒール着脱部２３に一体形成されている嵌込部２５にヒール３０の嵌込溝３１を差し込むようにする。
【００３８】
この時、使用者は、ヒール３０の前面（トウ側）に設けられている操作部３８を指で下方向に下げて、係合部３４を嵌込溝３１の底面の穴３２から引っ込ませる。
【００３９】
そして、嵌込部２５に嵌込溝３１が完全に嵌合した段階で、下方向に下げていた操作部３８から指を離すと、圧縮バネ３６の張力による付勢力によってロック部材３５が上方向に戻り、かつ、係合部３４がヒール着脱部２３に形成されている係合穴２６に係合する。これによって、ヒール３０が後方（かかと側）に摺動ことを防止することができる。
【００４０】
嵌込部２５は、前方に向かって幅が広くなる形状になっているため、これに合わせた形状を有する嵌込溝３１に差し込むとヒール３０がヒール着脱部２３に固定された状態になる。
【００４１】
さらに、ロック手段３３によって、ヒール３０がヒール着脱部２３の後方（かかと側）に摺動することを防止することができるため、使用者の歩行時にヒール３０がヒール着脱部２３から外れることを防止することができる。
【００４２】
また、ヒール３０をヒール着脱部２３から取り外す場合あるいは他のヒールと取り替える場合には、操作部３８を指で下方向に下げながら、ヒール３０をヒール着脱部２３の後方（かかと側）に引っ張るようにすることでヒール３０を容易に外すことができる。
【００４３】
このようにして、ヒールを容易に装着または取り外しすることができるため、例えば、外出時に高さや種類の異なるヒールを持っていくことで、シチュエーションに合わせてヒールを取り替えることができる。
【００４４】
また、ヒールの高さが異なっていても、本体前部２１が軟質な素材で構成されており、装着したヒール３０の高さに合わせて本体前部２１が可動するため、ヒール３０の高さが異なっても履き心地が変わることがない。
【００４５】
＜変形例＞
次に、ヒールの変形例について説明する。
図６は、ヒールの変形例を示した図である。
図示するように、ヒール３０の嵌込溝３１の底部には、ヒール３０をヒール着脱部２３に装着したときに、ヒール３０がヒール着脱部２３の後方に摺動することを防止するためのロック手段３３が２つ設けられている。この構成によって、ヒール着脱部２３にはロック手段３３の係合部３４と係合する穴２６が２つ形成されている（図示せず）。
【００４６】
これにより、ロック手段３３を２つ設けることでヒール３０がヒール着脱部２３の後方に摺動することより確実に防止することができる。
【００４７】
また、図示しないが、例えば、２つのロック手段のうち、一方のロック手段の係合部３４を爪状にし、ヒール着脱部２３に形成されている一方の穴２６を爪状の係合部３４が係合するような形状にしてもよい。
【符号の説明】
【００４８】
１０    履物
２０    本体
２１    本体前部
２２    本体後部
２３    ヒール着脱部
２５    嵌込部
３０    ヒール
３１    嵌込溝
３２    穴
３３    ロック手段
３４    係合部
３５    ロック部材
３６    圧縮バネ
３７    開口部
３８    操作部
【図１】
2017189442.tif 000003
【図２】
2017189442.tif 000004
【図３】
2017189442.tif 000005
【図４】
2017189442.tif 000006
【図５】
2017189442.tif 000007
【図６】
2017189442.tif 000008